(57)【特許請求の範囲】
【請求項１】
リール本体に装着したハンドル軸の回転操作運動に同期して前後動するスプール往復動装置の摺動体に、先端にスプールを取付けたスプール軸の後端を連結し、前記ハンドル軸上の駆動歯車に噛合するピニオンを形成した回転軸筒の外周支持部に、釣糸案内部を有するロータの内周支持部を取付固定し、このロータを回転軸筒の端部に螺合するナットで抜け止め固定すると共に、このナットの軸方向の一側に設けた軸受により、前記回転軸筒内に挿通した前記スプール軸の外周を支える魚釣用スピニングリールであって、
前記回転軸筒の外周支持部と前記ロータの内周支持部とに、互いに非円形断面形状の外周面と内周面とを介して回り止め嵌合する駆動結合部と、互いに外周面と内周面とを介して、前記ナットの軸方向の他側に形成した同心状で円形断面形状の内周面と外周面とに同心状に嵌合する同心状結合部とを設けたことを特徴とする魚釣用スピニングリール。
【発明の詳細な説明】
【技術分野】
【０００１】
本発明は、ハンドルの回転操作に連動回転するロータに設けた釣糸案内部を介してスプールに釣糸を巻回する魚釣用スピニングリールに関する。
【背景技術】
【０００２】
一般に、魚釣用スピニングリールは、リール本体に設けたハンドルの回転操作で連動回転するロータと、前後動するスプール軸の前部に設けられたスプールとを備え、回転するロータの釣糸案内部を介してスプールに釣糸を巻回することができる。  
このような魚釣用スピニングリールには、ハンドルの回転操作に連動して高速回転するロータを、巻取駆動機構の一部を形成する回転軸筒の外周部に回り止め嵌合してナットで固定し、前部にスプールが取付けられるスプール軸をこの回転軸筒内に挿入したものがある（例えば特許文献１参照）。
【０００３】
また、巻取り操作時における回転軸筒とスプール軸との間の回転および軸方向の摩擦抵抗の発生を軽減して円滑な巻取り操作を可能とするために、回転軸筒の前後に配置した軸受でスプール軸を支え、回転軸筒の内周面とスプール軸の外周面との間を非接触状態に離間させた魚釣用スピニングリールが開発されている（例えば特許文献２参照）。
【特許文献１】実用新案登録第２５３１６１３号公報
【特許文献２】特開２００１−１９０１９３
【発明の開示】
【発明が解決しようとする課題】
【０００４】
しかし、特許文献１に記載のような、従来のロータを回転軸筒の外周部に回り止め嵌合してナットで固定した魚釣用スピニングリールは、ハンドルに連動回転する回転軸筒の断面が非円形形状に形成された非円形外周部に、ロータの断面が非円形形状に形成された非円形内周部を回り止め嵌合した後に、ナットを締付けて固定する構造であるため、ベール、揺動支持部材および反転機構等の機能部材を一体的にロータに装着してなるロータユニットの全体でバランスをとろうとしても、ロータを組み込む際に、回転軸筒に対するロータの同心度を高精度で得ることが困難である。このため、ロータの好適な回転バランス（動バランス）が得られず、円滑な回転操作を得ることが困難である。
【０００５】
また、特許文献２に記載のような、スプール軸を軸受を介して支持する構造とした魚釣用スピニングリールは、更に、回転軸筒内を前後動するスプール軸の軸芯との同心度を高精度に維持することができないため、異音の発生や磨耗が促進される等の不具合が生じる。
【０００６】
本発明は、このような事情に基づいてなされたもので、回転軸筒とロータとの間に高精度の同心度を確保することができる魚釣用スピニングリールを提供することを目的とする。
【課題を解決するための手段】
【０００８】
上記目的を達成するため、本発明によると、リール本体に装着したハンドル軸の回転操作運動に同期して前後動するスプール往復動装置の摺動体に、先端にスプールを取付けたスプール軸の後端を連結し、前記ハンドル軸上の駆動歯車に噛合するピニオンを形成した回転軸筒の外周支持部に、釣糸案内部を有するロータの内周支持部を取付固定し、このロータを回転軸筒の端部に螺合するナットで抜け止め固定すると共に、このナットの軸方向の一側に設けた軸受により、前記回転軸筒内に挿通した前記スプール軸の外周を支える魚釣用スピニングリールであって、前記回転軸筒の外周支持部と前記ロータの内周支持部とに、互いに非円形断面形状の外周面と内周面とを介して回り止め嵌合する駆動結合部と、互いに外周面と内周面とを介して、前記ナットの軸方向の他側に形成した同心状で円形断面形状の内周面と外周面とに同心状に嵌合する同心状結合部とを設けた魚釣用スピニングリールが提供される。
【発明の効果】
【００１０】
上記回転軸筒の外周支持部とロータの内周支持部とに、互いに非円形断面形状の外周面と内周面とを介して回り止め嵌合する駆動結合部と、互いに外周面と内周面とを介して、ナットの軸方向の他側に形成した同心状で円形断面形状の内周面と外周面とに同心状に嵌合する同心結合部とを設けた魚釣用スピニングリールによると、スプール軸を支持する軸受が回転軸筒及びロータと一体回転するナットに支持されることにより、この軸受の同心度が向上し、スプール軸の支持状態が安定し、異音の発生が防止されて円滑な駆動操作を行うことができる。
【発明を実施するための最良の形態】
【００１１】
図１および図２は、本発明の好ましい実施形態による魚釣用スピニングリール１０を示す。  
本実施形態の魚釣用スピニングリール１０は、剛性構造のリールボディ１２ａの一側に着脱可能に蓋体（図示しない）を固定したリール本体１２を有し、このリールボディ１２ａから上方に延出する脚部１２ｂの端部に形成された竿取付部１２ｃを介して釣竿に取り付けられる。このリールボディ１２ａには、一側を開口させた内部空間Ａを形成してあり、この内部空間Ａ内に、ロータ１４を回転駆動してスプール１６に釣糸を巻回するための巻取駆動機構１８と、スプール１６を前後に往復動させるスプール往復動装置２０とが設けられている。このような種々の機構を内包した内部空間Ａは、その開口部を蓋体で閉じられ、外部から遮断される。
【００１２】
本実施形態の巻取駆動機構１８は、リール本体１２内に回転可能に支持されてハンドル２２で回転されるハンドル軸２４に固定された駆動歯車２６と、この駆動歯車２６に噛合するピニオンギヤ２８とを備える。ハンドル軸２４は、リールボディ１２ａと蓋体とにそれぞれ支えられた２つの軸受により、リール本体１２に対して回転自在に支えられる。このハンドル軸２４および駆動歯車２６で駆動されるピニオンギヤ２８は、ハンドル軸２４に対して直交する前後方向に延びかつリール本体１２に対して前後の２つの軸受３０ａ，３０ｂを介して回転自在に支持された回転軸筒２８ａの後端側外周部に設けられている。この回転軸筒２８ａの先端部には、ベール３２および釣糸案内部３４を備えたロータ１４が一体的に取り付けられている。
【００１３】
このピニオンギヤ２８および回転軸筒２８ａ内を、スプール軸３６が貫通し、ハンドル軸２４と直交する方向に延在している。このスプール軸３６は、回転軸筒２８ａと同心的に配され、この回転軸筒２８ａを後方で支える軸受３０ａで支えられており、回転軸筒２８ａおよびリール本体１２に対してハンドル軸２４と直交する方向に沿って前後動することができる。このスプール軸３６の先端部に、釣糸が巻回されるスプール１６が取り付けられる。
【００１４】
スプール１６を前後方向に往復動するスプール往復動装置２０は、本実施形態ではいわゆる減速ギヤタイプとして形成してある。このスプール往復動装置２０は、ハンドル軸２４と一体回転する小歯車３８に噛合して連動する大歯車４０を有し、この大歯車４０に突設され且つ大歯車４０の回転中心軸から偏心して位置する係合突起４２を、スプール軸３６の後端部に、ネジ等で一体的に連結された摺動体４４のカム溝４６に係合させ、大歯車４０が回転したときに、摺動体４４をガイド４８に沿って前後方向に駆動することができる。
【００１５】
このように形成された魚釣用スピニングリール１０は、ハンドル２２を回転操作してハンドル軸２４を回転させると、スプール往復動装置２０の摺動体４６に取付けられたスプール軸３６を介してスプール１６が前後に往復動し、一方、巻取駆動機構１８の駆動歯車２６とピニオンギヤ２８と回転軸筒２８ａとを介してロータ１４が回転駆動される。したがって、スプール１６には、釣糸案内部３４で案内されつつ、スプール１６上に釣糸がほぼ均等に巻回される。
【００１６】
更に、ロータ１４の筒部内には、このロータ１４の回転状態を、逆転防止状態と正逆転可能状態とに切換える逆転防止機構５０が配置されており、この全体がロータユニットとして形成されている。本実施形態の逆転防止機構５０は、公知の一方向クラッチで形成してあり、ピニオンギヤ２８と一体の回転軸筒２８ａに回転不能に装着された内輪部材５２ａと、この内輪部材上に複数のローラ５４を介して支えられかつリール本体１２ａに回転不能に装着された外輪部材５２ｂとを備える。これらのローラ５４は、保持器５６で保持され、内輪部材５２ａと外輪部材５２ｂとの間で、自由に回転できるフリー回転領域と、一方向にのみ回転できる規制領域とに移動される。ローラ５４がフリー回転領域に配置されると、ローラ５４が自由に回転できるため、内輪部材５２ａに連結されるロータ１４は外輪部材５２ｂが連結されたリール本体１２に対して自由に回転できる。また、ローラ５４が規制領域に配置された状態では、ローラ５４はロータ１４が正転する方向にのみ回転することができ、ロータ１４が逆転する方向への回転は阻止される。したがって、ローラ５４が規制領域に配置された状態では、ロータ１４は逆転防止状態となり、フリー回転領域に配置された状態では、正逆転可能状態となる。
【００１７】
本実施形態では、逆転防止機構５０を形成する一方向クラッチの内輪部材５２ａは、後端側が前部軸受３０ｂで位置決めされ、前端側がロータ１４の筒状構造のボス部１４ａに形成した内周支持部１５を介して、ナット５８により、位置決めされる。このナット５８は、回転軸筒２８ａの端部に螺合するネジ部５８ａを介して螺合され、このネジ部５８ａよりも先端側である軸方向の一側と、スプール軸３６との間には、軸受６０が介挿される。この軸受６０は、上述の回転軸筒２８ａを後方で支える軸受３０ａと共に、回転軸筒２８ａの内周面とスプール軸３６の外周面との間に、僅かな間隙ｄを形成する状態にこのスプール軸３６を支える。符号６１は、軸受６０とスプール軸３６との間に介在された摩擦力を軽減する滑動性良好な材料（ポリアセタール樹脂等）で形成されるカラーであり、異物の侵入をも阻止する機能を有する。
【００１８】
この逆転防止機構５０のローラ５４を、フリー回転領域と規制領域との間で移動し、ロータ１４の回転状態を正逆転可能状態と逆転防止状態とに切換えるため、操作杆６２がリール本体１２ａの内部空間Ａ内で前後方向に沿って延設してある。この操作杆６２は、略中間部でクランク状に屈曲しており、先端部が、逆転防止機構５０の保持器５６に連結され、リール本体１２の後壁を貫通して外部に突出した後端部に切換操作部である切換レバー６４が取付けられている。また、この操作杆６２の一部に、この操作杆６２の回動位置を保持するために位置決め部６６を形成し、この位置決め部により、一端をリール本体に保持される板状弾性体である板バネ６８を圧接している。
【００１９】
この操作杆６２は、後端部に取付けた切換レバー６４を操作して、先端部を揺動することにより、保持器５６を回動することができる。この操作杆６２の回動位置は、中間部に形成した位置決め部６６を、内部空間Ａ内に配置した板バネ６８に圧接させることにより、保持される。これにより、逆転防止機構５０は、ロータ１４が正逆転可能な状態と、正転可能でかつ逆転不能の状態とに切換えられる。ロータ１４がいずれの状態にあっても、ハンドル２２を正転方向（釣糸をスプール１６に巻き取る方向の回転）に回転すると、図示しない公知の復帰機構を介して、釣糸放出位置にあるベール３２は、図１に示す釣糸巻取位置に復帰することができる。
【００２０】
図２の（Ａ）から（Ｃ）に詳細に示すように、ロータ１４のボス部１４ａはその内周部が内周支持部１５として形成され、回転軸筒２８ａの先端側の外周支持部２９として形成された外周部を支える。これらのロータ１４のボス部１４ａに形成した内周支持部１５と、回転軸筒２８ａの先端側に形成した外周支持部２９とには、これらのロータ１４と回転軸筒２８ａとを互いに回り止め嵌合してピニオン２８に作用する回転駆動力をロータ１４に伝える駆動結合部７０と、互いに同心状に嵌合する同心状結合部７２とを軸方向に沿って併設させてある。
【００２１】
本実施形態では、駆動結合部７０は、図２の（Ｂ）に示すように、回転軸筒２８ａの外周支持部２９に平坦面を一部に形成した非円形断面形状の外周面２９ａを、ボス部１４ａの内周支持部１５に外周支持部２９と同様な平坦面で一部を形成された非円形断面形状の内周面１５ａに回り止め嵌合させることにより、形成してある。これらの非円形断面形状は、円筒状面すなわち断面形状が円形に形成された外周支持部２９および内周支持部１５に、それぞれ略平行な一対の平面部を形成することで非円形断面形状としたものであるが、互いに回り止め嵌合するものであれば、例えば断面Ｄ字状あるいは小判形等の他の断面形状に形成することも可能である。
【００２２】
更に、図２の（Ｃ）に示すように、回転軸筒２８ａの外周支持部２９と、ロータ１４のボス部１４ａの内周支持部１５との間には、ナット５８のネジ部５８ａよりも後方に延びる円筒状形状の延長部５９が介挿されている。この延長部５９は、互いに同心状の円形断面形状に形成された内周面５９ａと外周面５９ｂとを有し、これらの内周面５９ａと外周面５９ｂとに、回転軸筒２８ａの外周支持部２９の円筒状面で形成された外周面２９ｂとボス部１４ａの内周支持部１５の円筒状面で形成された内周面１５ｂとが嵌合し、ナット５８の内周側および外周側で、回転軸筒２８ａの外周支持部２９とロータ１４のボス部１４ａの内周支持部１５とがそれぞれの円筒状面あるいは円形断面形状の面同士を密に嵌合させることで、互いに同心状に嵌合する同心状結合部７２を形成する。
【００２３】
このように、回転軸筒２８ａの外周支持部２９とロータ１４の内周支持部１５とに、互いに非円形断面形状の外周面２９ａと内周面１５ａとを介して回り止め嵌合する駆動結合部７０と、互いに円筒状の外周面２９ｂと内周面１５ｂとを介して、ナット５８の軸方向の後方側に形成した延長部５９の同心状で円形断面形状の内周面５９ａと外周面５９ｂとに同心状に嵌合する同心状結合部７２とを設けたことにより、スプール軸３６を支持する軸受６０が回転軸筒２８ａ及びロータ１４と一体回転するナット５８に支持され、この軸受２８ａの同心度が向上し、スプール軸３６の支持状態が安定し、異音の発生が防止されて円滑な駆動操作を行うことができる。
【００２４】
特に、同心状結合部７２が駆動結合部７０よりも、軸受６０の近くに設けられていることにより、軸受６０およびスプール軸３６とに対する同心度も高精度に維持することが可能である。また、回転軸筒２８ａの外周支持部２９の外周面に、平坦面で形成した非円形断面形状の外周面２９ａと円筒状面で形成した円形断面形状の外周面２９ｂとを周方向に沿って交互に形成することにより、高精度かつ安価な加工を確保することができる。
【００２５】
なお、回転軸筒２８ａの外周支持部２９とボス部１４ａの内周支持部１５とが、確実に回り止め嵌合するものであれば、外周支持部２９の非円形形状の外周面２９ａが占める領域をできるだけ少なくし、円筒状面を形成する円形断面形状の外周面２９ｂが占める領域を多くすることがロータ１４と回転軸筒２８ａとの同心度を高精度に維持する上で好ましい。
【００２６】
図３は、参考例を示す。なお、以下に示す種々の参考例と基本的には同様であるため、同様な部位には同様な符号を付して、その詳細な説明を省略する。  
この参考例では、上述の実施形態におけるナット５８の延長部５９を省略してあり、同心状結合部７２は、ロータ１４のボス部１４ａの内周支持部１５に形成した円形断面形状の内周面１５ｂと回転軸筒２８ａの外周支持部２９に形成した円形断面形状の外周面２９ｂとを同心状に嵌合させることで形成してある。この実施形態では、非円形断面形状の外周面２９ａと円形断面形状の外周面２９ｂとが軸方向に沿って形成してあり、小径の円形断面形状の外周面２９ｂが、外周支持部２９に段部を形成する。
【００２７】
この参考例においても、ロータ１４内に逆転防止装置５０（図１）等を組込んで形成されたロータユニットが、ハンドル２２（図１）に連動回転する回転軸筒２８ａに高精度の同心度が得られる状態で一体化され、これにより、良好なロータ１４の回転バランスあるいは動バランスが得られ、円滑な巻取り回転操作を行うことができる。
【００２８】
特に、ロータ１４のボス部１４ａが内周支持部１５の円形断面形状の内周面１５ｂを、回転軸筒２８ａの外周支持部２９に形成した円形断面形状の外周面２９ｂと直接嵌合することで、回転筒軸２８ａに対するロータ１４およびロータユニットの高精度の同心度を維持することができる。
【００２９】
図４は、更に他の参考例を示す。この参考例の魚釣用スピニングリールでは、スプール軸３６を支える軸受６０およびカラー６１が省略されている。ナット５８は、ロータ１４のボス部１４ａから突出した回転筒軸２８ａの先端部に螺合される。この参考例においても、図３の（Ｂ）及び（Ｃ）に示す参考例と同様に、ロータユニットが回転軸筒２８ａに高精度の同心度が得られる状態で一体化され、良好なロータ１４の回転バランスあるいは動バランスが得られ、円滑な巻取り回転操作を行うことができる。
【００３０】
以上、本発明の種々の実施形態について個々に説明してきたが、本発明はいずれか１つの実施形態に特定されるものではなく、様々に変更可能であり、各実施形態を適宜に組合わせることも可能である。
【図面の簡単な説明】
【００３１】
【図１】本発明の好ましい実施形態による魚釣用スピニングリールの部分断面図。
【図２】図１の魚釣用スピニングリールの回転軸筒とロータとの連結部を示し、(Ａ）は図１の一部の拡大図、（Ｂ）は(Ａ)のＢ−Ｂ線に沿う断面図、（Ｃ）は（Ａ）のＣ−Ｃ線に沿う断面図。
【図３】参考例による魚釣用スピニングリールの図２と同様な断面図。
【図４】他の参考例による魚釣用スピニングリールの図２の（Ａ）と同様な断面図。
【符号の説明】
【００３２】
１０…魚釣用スピニングリール、１２…リール本体、１４…ロータ、１５…内周支持部、１５ａ，１５ｂ…内周面、１６…スプール、２０…スプール往復動装置、２４…ハンドル軸、２６…駆動歯車、２８…ピニオン、２８ａ…回転軸筒、２９…外周支持部、２９ａ，２９ｂ…内周面、４４…摺動体、７０…駆動結合部、７２…同心状結合部。
【図１】
0004504900.tif 000002
【図２】
0004504900.tif 000003
【図３】
0004504900.tif 000004
【図４】
0004504900.tif 000005